【手続補正書】
【提出日】平成29年5月29日(2017.5.29)
【手続補正１】
【補正対象書類名】特許請求の範囲
【補正対象項目名】全文
【補正方法】変更
【補正の内容】
【特許請求の範囲】
【請求項１】
伝送線内のツイストペアワイヤケーブルを介して、コントローラエリアネットワーク（ＣＡＮ）バスを結合し、前記ＣＡＮバスの通信範囲を拡張するためのシステムであって、前記システムは、
第１のリピータデバイスであって、
ＣＡＮバスに結合された標準的ＣＡＮ送受信機であって、前記標準的ＣＡＮ送受信機は、前記ＣＡＮバス上のレベルを感知し、前記感知されたレベルを示す第１の受信信号を供給するように構成され、第１の伝送信号を受信し、第１のＣＡＮバス上で対応するレベルを駆動するように構成されている、標準的ＣＡＮ送受信機と、
バス間ツイストペアに結合された高速ＣＡＮ送受信機であって、前記高速ＣＡＮ送受信機は、前記バス間ツイストペア上のレベルを信号伝達する第２の受信信号を供給するように構成され、第２の伝送信号を受信し、前記バス間ツイストペア上で対応するレベルを駆動するように構成され、前記高速ＣＡＮ送受信機は、前記バス間ツイストペアを介して、低差動電圧信号伝達を提供するように構成されている、高速ＣＡＮ送受信機と、
前記標準的ＣＡＮ送受信機および前記高速ＣＡＮ送受信機に結合され、かつ、前記標準的ＣＡＮ送受信機と前記高速ＣＡＮ送受信機との間の閉ロックループを中断するように構成されている、論理回路と
を備える、第１のリピータデバイスと、
前記バス間ツイストペアを介して前記第１のリピータデバイスに接続され、かつ第２のＣＡＮバスに接続されている、第２のリピータデバイスであって、それによって、前記バス間ツイストペアを介して接続された前記第１および第２のリピータデバイスは、低差動電圧を使用して、より高速の信号遷移を提供する、第２のリピータデバイスと
を備え、
バス間ツイストペアリンクは、前記第１のリピータデバイスの高速ＣＡＮ送受信機を前記第２のリピータデバイスの高速ＣＡＮ送受信機と相互接続し、前記第２のリピータデバイスは、前記第２のＣＡＮバスに接続され、前記第１および第２のリピータデバイスの両高速ＣＡＮバス送受信機は、前記バス間ツイストペア上での通信のために、低差動電圧を使用し、実質的に、信号遷移時間を減少し、拡張信号伝送範囲をイネーブルにする、システム。
【請求項２】
前記低差動電圧は、２ボルト未満である、請求項１に記載のシステム。
【請求項３】
前記標準的ＣＡＮ送受信機は、約８ボルトの差動電圧および約５０Ｈｚのデータレートを使用して、前記ＣＡＮバスを経由して通信する、請求項１に記載のシステム。
【請求項４】
受信および伝送信号に関して、低レベルは、論理０または優性レベルに対応し、高レベルは、論理１または劣性レベルに対応する、請求項１に記載のシステム。
【請求項５】
前記標準的ＣＡＮ送受信機は、持続的優性状態を検出することに応じて、前記ＣＡＮバスを駆動することをディスエーブルにする、請求項１に記載のシステム。
【請求項６】
ツイストペアワイヤケーブルを経由して、コントローラエリアネットワーク（ＣＡＮ）バス通信を提供し、前記コントローラエリアネットワーク（ＣＡＮ）バスの通信範囲を拡張するためのリピータデバイスであって、前記リピータデバイスは、
ＣＡＮバスに結合された標準的ＣＡＮ送受信機であって、前記標準的ＣＡＮ送受信機は、前記ＣＡＮバス上のレベルを感知し、前記感知されたレベルを示す第１の受信信号を供給するように構成され、第１の伝送信号を受信し、前記ＣＡＮバス上で対応するレベルを駆動するように構成されている、標準的ＣＡＮ送受信機と、
ツイストペアに結合された高速ＣＡＮ送受信機であって、前記高速ＣＡＮ送受信機は、前記ツイストペア上のレベルを信号伝達する第２の受信信号を供給するように構成され、第２の伝送信号を受信し、前記ツイストペア上で対応するレベルを駆動するように構成され、前記高速ＣＡＮ送受信機は、前記ツイストペアを介して、低電圧信号伝達を提供するように構成されている、高速ＣＡＮ送受信機と、
前記標準的ＣＡＮ送受信機および前記高速ＣＡＮ送受信機に結合され、かつ、前記標準的ＣＡＮ送受信機と前記高速ＣＡＮ送受信機との間の閉ロックループを中断するように構成されている、論理回路と
を備え、
バス間ツイストペアリンクは、前記リピータデバイスの高速ＣＡＮ送受信機を第２のリピータデバイスの高速ＣＡＮ送受信機と相互接続し、前記第２のリピータデバイスは、第２のＣＡＮバスに接続され、前記リピータデバイスおよび前記第２のリピータデバイスの両高速ＣＡＮバス送受信機は、前記バス間ツイストペア上での通信のために、低差動電圧を使用し、実質的に、信号遷移時間を減少し、拡張信号伝送範囲をイネーブルにする、リピータデバイス。
【請求項７】
前記低差動電圧は、２ボルト未満である、請求項６に記載のリピータデバイス。
【請求項８】
前記標準的ＣＡＮ送受信機は、約８ボルトの差動電圧および約５０Ｈｚのデータレートを使用して、前記ＣＡＮバスを経由して通信する、請求項６に記載のリピータデバイス。
【請求項９】
受信および伝送信号に関して、低レベルは、論理０または優性レベルに対応し、および高レベルは、論理１または劣性レベルに対応する、請求項６に記載のリピータデバイス。
【請求項１０】
第１のＣＡＮ送受信機は、持続的優性状態を検出することに応じて、第１のＣＡＮバスを駆動することをディスエーブルにする、請求項６に記載のリピータデバイス。
【手続補正２】
【補正対象書類名】明細書
【補正対象項目名】００１８
【補正方法】変更
【補正の内容】
【００１８】
本発明の他の特徴および利点は、例として、本発明の態様を説明する以下の記述から明らかなはずである。
本願明細書は、例えば、以下の項目も提供する。
（項目１）
単一ワイヤリンクを経由して、コントローラエリアネットワーク（ＣＡＮ）バス通信を提供し、前記コントローラエリアネットワーク（ＣＡＮ）バスの通信範囲を拡張するためのリピータデバイスであって、
ＣＡＮバスに結合され、前記ＣＡＮバス上のレベルを感知し、前記感知されたレベルを示す第１の受信信号を供給するように構成され、第１の伝送信号を受信し、前記ＣＡＮバス上で対応するレベルを駆動するように構成される、第１のＣＡＮ送受信機と、
単一ワイヤリンクに結合され、前記単一ワイヤリンク上のレベルを信号伝達する、第２の受信信号を供給するように構成され、第２の伝送信号を受信し、前記単一ワイヤリンク上で対応するレベルを駆動するように構成される、第２のＣＡＮ送受信機と、
前記第１および第２のＣＡＮ送受信機に結合され、第１および第２のＣＡＮ送受信機間の閉ロックループを中断するように構成される、論理回路と、
外部高電圧入力から導出される内部低電圧供給量を発生させるように構成される、ＤＣ−ＤＣコンバータであって、内部接地は、外部接地から浮動する、ＤＣ−ＤＣコンバータと、
を備える、デバイス。
（項目２）
前記外部接地は、海洋または地表接地のいずれかである、項目１に記載のリピータデバイス。
（項目３）
前記単一ワイヤリンクは、前記リピータデバイスと第２のリピータデバイスを相互接続し、前記第２のリピータデバイスは、第２のＣＡＮバスに接続され、両リピータデバイスに対して、前記外部接地は、海洋または地表接地のいずれかであって、前記単一ワイヤリンクは、実質的に、静電容量負荷を排除し、信号伝送範囲を拡張する、不対導体との不平衡線を提供する、項目１に記載のリピータデバイス。
（項目４）
前記論理回路は、
信号が、前記ＣＡＮバスから前記単一ワイヤリンクにまたは前記単一ワイヤリンクから前記ＣＡＮバスに伝送されているかどうかを判定するように構成される、方向検出回路と、
少なくとも部分的に、方向検出回路判定に基づいて、伝送信号を供給するように構成される、伝送対応回路と、
を備える、項目１に記載のリピータデバイス。
（項目５）
前記第１のＣＡＮ送受信機は、約８ボルトの差動電圧および約５０Ｈｚのデータレートを使用して、前記ＣＡＮバスを経由して通信する、項目１に記載のリピータデバイス。
（項目６）
受信および伝送信号に関して、低レベルは、論理０または優性レベルに対応し、高レベルは、論理１または劣性レベルに対応する、項目１に記載のリピータデバイス。
（項目７）
前記第１のＣＡＮ送受信機は、持続的優性状態の検出に応じて、前記ＣＡＮバスの駆動をディスエーブルにする、項目１に記載のリピータデバイス。
（項目８）
前記ＤＣ−ＤＣコンバータによって発生される内部低電圧供給量は、約５ボルトの供給量である、項目１に記載のリピータデバイス。
（項目９）
伝送線内の単一ワイヤリンクを介して、コントローラエリアネットワーク（ＣＡＮ）バスを結合するためのシステムであって、
第１のＣＡＮバスに接続された第１のリピータデバイスであって、
前記第１のＣＡＮバスに結合され、前記第１のＣＡＮバス上のレベルを感知し、前記感知されたレベルを示す第１の受信信号を供給するように構成され、第１の伝送信号を受信し、前記第１のＣＡＮバス上で対応するレベルを駆動するように構成される、第１のＣＡＮ送受信機と、
前記単一ワイヤリンクに結合され、信号バス間単一ワイヤリンク上のレベルを信号伝達する、第２の受信信号を供給するように構成され、第２の伝送信号を受信し、前記単一ワイヤリンク上で対応するレベルを駆動するように構成される、第２のＣＡＮ送受信機と、
前記第１および第２のＣＡＮ送受信機に結合され、第１および第２のＣＡＮ送受信機間の閉ロックループを中断するように構成される、論理回路と、
外部高電圧入力から導出される内部低電圧供給量を発生させるように構成される、ＤＣ−ＤＣコンバータであって、内部接地は、外部接地から浮動する、ＤＣ−ＤＣコンバータと、
を備える、第１のリピータデバイスと、
前記単一ワイヤリンクを介して前記第１のリピータデバイスに接続され、第２のＣＡＮバスに接続される、第２のリピータデバイスであって、それによって、前記単一ワイヤリンクを介して接続される前記第１および第２のリピータデバイスは、低い全体的伝送線静電容量を提供する、第２のリピータデバイスと、
を備える、システム。
（項目１０）
前記外部接地は、海洋または地表接地のいずれかであって、前記単一ワイヤリンクは、実質的に、静電容量負荷を排除し、前記第１および第２のＣＡＮバスの信号伝送範囲を拡張する、不対導体との不平衡線を提供する、項目９に記載のシステム。
（項目１１）
前記論理回路は、
信号が、前記第１のＣＡＮバスから前記単一ワイヤリンクにまたは前記単一ワイヤリンクから前記第１のＣＡＮバスに伝送されているかどうかを判定するように構成される、方向検出回路と、
少なくとも部分的に、方向検出回路判定に基づいて、伝送信号を供給するように構成される、伝送対応回路と、
を備える、項目９に記載のシステム。
（項目１２）
前記第１のＣＡＮ送受信機は、約８ボルトの差動電圧および約５０Ｈｚのデータレートを使用して、前記第１のＣＡＮバスを経由して通信する、項目９に記載のシステム。
（項目１３）
受信および伝送信号に関して、低レベルは、論理０または優性レベルに対応し、高レベルは、論理１または劣性レベルに対応する、項目９に記載のシステム。
（項目１４）
前記第１のＣＡＮ送受信機は、持続的優性状態の検出に応じて、前記第１のＣＡＮバスの駆動をディスエーブルにする、項目９に記載のシステム。
（項目１５）
前記ＤＣ−ＤＣコンバータによって発生される内部低電圧供給量は、約５ボルトの供給量である、項目９に記載のシステム。
（項目１６）
ツイストペアワイヤケーブルを経由して、コントローラエリアネットワーク（ＣＡＮ）バス通信を提供し、前記コントローラエリアネットワーク（ＣＡＮ）バスの通信範囲を拡張するためのリピータデバイスであって、
ＣＡＮバスに結合され、前記ＣＡＮバス上のレベルを感知し、前記感知されたレベルを示す第１の受信信号を供給するように構成され、第１の伝送信号を受信し、前記ＣＡＮバス上で対応するレベルを駆動するように構成される、標準的ＣＡＮ送受信機と、
ツイストペアに結合され、前記ツイストペア上のレベルを信号伝達する、第２の受信信号を供給するように構成され、第２の伝送信号を受信し、前記ツイストペア上で対応するレベルを駆動するように構成される、高速ＣＡＮ送受信機であって、前記ツイストペアを介して、低電圧信号伝達を提供するように構成される、高速ＣＡＮ送受信機と、
前記第１および第２のＣＡＮ送受信機に結合され、第１および第２のＣＡＮ送受信機間の閉ロックループを中断するように構成される、論理回路と、
を備える、リピータデバイス。
（項目１７）
バス間ツイストペアリンクは、前記第１のリピータデバイスの高速ＣＡＮ送受信機と第２のリピータデバイスの高速ＣＡＮ送受信機を相互接続し、前記第２のリピータデバイスは、第２のＣＡＮバスに接続され、前記第１および第２のリピータデバイスの両高速ＣＡＮバス送受信機は、前記バス間ツイストペア上での通信のために、低差動電圧を使用し、実質的に、信号遷移時間を減少し、拡張信号伝送範囲をイネーブルにする、項目１６に記載のリピータデバイス。
（項目１８）
低差動電圧は、２ボルト未満である、項目１６に記載のリピータデバイス。
（項目１９）
前記標準的ＣＡＮ送受信機は、約８ボルトの差動電圧および約５０Ｈｚのデータレートを使用して、前記ＣＡＮバスを経由して通信する、項目１６に記載のリピータデバイス。
（項目２０）
受信および伝送信号に関して、低レベルは、論理０または優性レベルに対応し、および高レベルは、論理１または劣性レベルに対応する、項目１６に記載のリピータデバイス。
（項目２１）
前記第１のＣＡＮ送受信機は、持続的優性状態の検出に応じて、前記第１のＣＡＮバスの駆動をディスエーブルにする、項目１６に記載のリピータデバイス。
（項目２２）
前記ＤＣ−ＤＣコンバータによって発生される内部低電圧供給量は、約５ボルトの供給量である、項目１６に記載のリピータデバイス。
（項目２３）
伝送線内のツイストペアワイヤケーブルを介して、コントローラエリアネットワーク（ＣＡＮ）バスを結合し、前記コントローラエリアネットワーク（ＣＡＮ）バスの通信範囲を拡張するためのシステムであって、
第１のリピータデバイスであって、
ＣＡＮバスに結合され、前記ＣＡＮバス上のレベルを感知し、前記感知されたレベルを示す第１の受信信号を供給するように構成され、第１の伝送信号を受信し、前記ＣＡＮバス上で対応するレベルを駆動するように構成される、標準的ＣＡＮ送受信機と、
バス間ツイストペアに結合され、前記バス間ツイストペア上のレベルを信号伝達する、第２の受信信号を供給するように構成され、第２の伝送信号を受信し、前記バス間ツイストペア上で対応するレベルを駆動するように構成される、高速ＣＡＮ送受信機であって、前記バス間ツイストペアを介して、低差動電圧信号伝達を提供するように構成される、高速ＣＡＮ送受信機と、
前記第１および第２のＣＡＮ送受信機に結合され、第１および第２のＣＡＮ送受信機間の閉ロックループを中断するように構成される、論理回路と、
を備える、第１のリピータデバイスと、
前記バス間ツイストペアを介して、前記第１のリピータデバイスに接続され、第２のＣＡＮバスに接続される、第２のリピータデバイスであって、それによって、低差動電圧を使用して、前記バス間ツイストペアを介して接続される前記第１および第２のリピータデバイスは、より高速の信号遷移を提供する、第２のリピータデバイスと、
を備える、システム。
（項目２４）
前記バス間ツイストペアリンクは、前記第１のリピータデバイスの高速ＣＡＮ送受信機と第２のリピータデバイスの高速ＣＡＮ送受信機を相互接続し、前記第２のリピータデバイスは、第２のＣＡＮバスに接続され、前記第１および第２のリピータデバイスの両高速ＣＡＮバス送受信機は、前記バス間ツイストペア上での通信のために、低差動電圧を使用し、実質的に、信号遷移時間を減少し、拡張信号伝送範囲をイネーブルにする、項目２３に記載のシステム。
（項目２５）
低差動電圧は、２ボルト未満である、項目２３に記載のシステム。
（項目２６）
前記標準的ＣＡＮ送受信機は、約８ボルトの差動電圧および約５０Ｈｚのデータレートを使用して、前記ＣＡＮバスを経由して通信する、項目２３に記載のシステム。
（項目２７）
受信および伝送信号に関して、低レベルは、論理０または優性レベルに対応し、高レベルは、論理１または劣性レベルに対応する、項目２３に記載のシステム。
（項目２８）
前記第１のＣＡＮ送受信機は、持続的優性状態の検出に応じて、前記第１のＣＡＮバスの駆動をディスエーブルにする、項目２３に記載のシステム。
（項目２９）
前記ＤＣ−ＤＣコンバータによって発生される内部低電圧供給量は、約５ボルトの供給量である、項目２３に記載のシステム。